(57)【要約】【課題】システムキッチンのカウンタートップに形成される開口の周縁に支持させるための外周フランジ部（１０）が、コンロ本体（１）の上端から外方へ向かって水平方向に張り出しているドロップインコンロを梱包する梱包構造に関し、コンロ本体に外的衝撃を与えないように梱包できるようにすること。【解決手段】コンロ本体（１）の両側方に、外周フランジ部（１０）を水平に支持可能な一対の支持体（２）が配設され、支持体（２）の底面から外周フランジ部（１０）を支持する支持部（頂面（２３））までの高さは、コンロ本体（１）の底面から外周フランジ部（１０）の裏面までの高さよりも高く設定されていること。【選択図】      図３
2004210335.tif 000002
【特許請求の範囲】
【請求項１】
システムキッチンのカウンタートップに形成される開口の周縁に支持させるための外周フランジ部が、コンロ本体の上端から外方へ向かって水平方向に張り出しているドロップインコンロを梱包する梱包構造において、
前記コンロ本体の両側方に、前記外周フランジ部を水平に支持可能な一対の支持体が配設され、
前記支持体の底面から前記外周フランジ部を支持する支持部までの高さは、前記コンロ本体の底面から前記外周フランジ部の裏面までの高さよりも高く設定されていることを特徴とするドロップインコンロの梱包構造。
【請求項２】
請求項１に記載のドロップインコンロの梱包構造において、前記支持体は、段ボール紙を折り曲げて組み立てることにより、頂面、底面、及び側面を有する箱状又は筒状に構成されているドロップインコンロの梱包構造。
【請求項３】
請求項２に記載のドロップインコンロの梱包構造において、前記支持体は、前記コンロ本体に対して前後方向に開放する中空筒体とすると共に、一方の側板を共通とする上室と下室とに区画された構成とし、
前記下室の前記一方の側板は、内板と外板の二重構造に形成されていると共に、前記外板が上方に延長して前記上室の前記一方の側板を構成するように設定されており、
前記上室と下室とを上下に区画している区画板は、前記下室の上板と上室の下板との二重構造に形成されており、
前記中空筒体の他方の側板が前記コンロ本体側に位置し且つ、前記コンロ本体と所定の隙間を介して配設されているドロップインコンロの梱包構造。
【発明の詳細な説明】
【０００１】
【発明の属する技術分野】
本発明は、ドロップインコンロの梱包構造、特に、コンロ本体の上端から外周フランジが延長する形式のドロップインコンロを保管又は搬送のために梱包する梱包構造に関するものである。
【０００２】
【従来の技術】
コンロ本体をシステムキッチンのカウンタートップに設けた開口内に落とし込むと共に、前記コンロ本体の上端から張り出させた外周フランジ部を、前記開口の周縁に支持させた吊り下げ状態で使用されるドロップインコンロを保管又は搬送する際に、外的衝撃から保護した状態で梱包する梱包構造として、特開２００２−３０２１５５号に開示のものがある（特許文献１参照）。
【０００３】
このものは、図５に示すように、前記コンロ本体（５）の左右にそれぞれ端面側パット（４）が配設され、前記端面側パット（４）の底部（４２）で前記コンロ本体（５）の底面部が支持された構成となっている。又、このものでは、前記一対の端面側パット（４）の上端に架設させているトッププレート（５１）の前方端辺部及び後方端辺部等を保護するために断面略Ｌ字状に形成された一対の保護部材（４０）が設けられているとともに、さらにこの上方には、天パット（４３）が配設されている。
【０００４】
上記従来のドロップインコンロの梱包構造は、前記一対の端面側パット（４）、同じく一対の保護部材（４０）及び天パット（４３）をコンロ本体（５）の各位置に組み付けた状態にて、外箱（４４）内に収納させる構成となっており、収納状態においては、前記コンロ本体（５）は、一対の前記端面側パット（４）によって上下左右からの衝撃に対して保護されると共に、トッププレート（５１）は、保護部材（４０）及び天パット（４３）によって保護された態様で、保管又は搬送が可能となる。
【０００５】
【特許文献１】
特開２００２−３０２１５５号公報
【特許文献２】
特開２０００−７４２３９号公報
【０００６】
【発明が解決しようとする課題】
しかしながら、上記従来の梱包構造では、搬送の際に外箱（４４）ごと落下させられる等して、外箱（４４）の下面に強い衝撃が加わった場合、前記コンロ本体（５）は、上記したように、その底面部が端面側パット（４）の底部（４２）で支持された状態で外箱（４４）内に収納されているから、下からの衝撃による荷重は前記端面側パット（４）の底部（４２）を介してコンロ本体（５）の底面部にかかることとなる。
ドロップインコンロは上記したようにカウンタートップの開口周縁に外周フランジ部（５０）を支持させることにより、前記開口内にコンロ本体を吊り下げて使用される構成であるから、前記外周フランジ部（５０）の強度は十分考慮されているが、コンロ本体（５）を構成しているケース体の底面部の強度は外的衝撃に耐え得るには不十分であり、衝撃の大きさによっては、前記底面部が変形又は損傷してしまうといった不都合がある。
本発明は、『システムキッチンのカウンタートップに形成される開口の周縁に支持させるための外周フランジ部が、コンロ本体の上端から外方へ向かって水平方向に張り出しているドロップインコンロを梱包する梱包構造』において、コンロ本体に外的衝撃を与えないように梱包できるようにすることを課題とする。
【０００７】
【課題を解決するための手段】
＊１項
上記課題を解決するための本発明の技術的手段は、『前記コンロ本体の両側方に、前記外周フランジ部を水平に支持可能な一対の支持体が配設され、
前記支持体の底面から前記外周フランジ部を支持する支持部までの高さは、前記コンロ本体の底面から前記外周フランジ部の裏面までの高さよりも高く設定されている』ことである。
上記技術的手段は次のように作用する。
【０００８】
コンロ本体の両側方に、前記コンロ本体の底面から外周フランジ部の裏面までの高さよりも、外周フランジ部の支持部までの高さの方が高く設定された一対の支持体を配設することにより、前記コンロ本体の両側方に張り出している前記外周フランジ部が前記支持体に支持され、前記コンロ本体は、前記支持体間に吊り下げられた態様となる。このように、コンロ本体は、使用状態と同様に、外周フランジ部で支持されて吊り下げられた状態で梱包されることから、前記梱包状態にて、例えば、下方から強い外的衝撃が加えられた場合でも、前記衝撃による下方からの荷重、及び、ドロップインコンロの重量に基づく前記外周フランジ部を介する上方からの荷重も、全て前記支持体が受けることとなり、コンロ本体に影響が及ばない。
【０００９】
＊２項
上記１項において、『前記支持体は、段ボール紙を折り曲げて組み立てることにより、頂面、底面、及び側面を有する箱状又は筒状に構成されている』ものでは、支持体にかかる荷重は、前記段ボール紙製の箱又は筒が変形することにより一層吸収される。
さらに、３項のように、『前記支持体は、コンロ本体に対して前後方向に開放する中空筒体とすると共に、一方の側板を共通とする上室と下室とに区画された構成とし、
前記下室の前記一方の側板は、内板と外板の二重構造に形成されていると共に、前記外板が上方に延長して前記上室の前記一方の側板を構成するように設定されており、
前記上室と下室とを上下に区画している区画板は、前記下室の上板と上室の下板との二重構造に形成されていると共に、おり、
前記中空筒体の他方の側壁が前記コンロ本体側に位置し且つ、前記コンロ本体と所定の隙間を介して配設されている』ものでは、下室の内板、下室の上板、下室の他方の側板、下室の底板、前記内板に重なる下室の外板が構成されるように段ボール紙を順に折り曲げることにより、下室が構成される。そして、前記外板を前記内板に重なる態様で上方に延長させて、上室の一方の側板が構成されると共に、所定高さにて水平に折り曲げて上室の上板が構成され、続いて上室の他方の側板、上室の下板からなる上室を構成することにより、段ボール紙によって上室と下室に区画された中空筒体状の支持体が形成され、前記一方の側板は一枚の段ボール紙から構成され、他方の側板は、上室と下室との境界線に沿って上下に分割された態様となる。尚、段ボール紙を溝に対して直角に折り曲げていくことによって、ドロップインコンロの重量に耐え得る強度を有する支持体を構成できる。前記支持体で外周フランジ部を吊り下げ状態に支持させた梱包状態にて、下方から強い外的衝撃が与えられた場合、支持体には、前記衝撃による下方からの荷重と、ドロップインコンロの重量に基づく外周フランジ部の両側片部分を介する上方からの荷重とが同時にかかることとなり、これら荷重は、下室の底板及び上室の上板を介して両側板へ伝達される。コンロ本体側に位置させている前記他方の側板は、上下に分割された構成としているから、前記荷重がかかることによって前記境界線に沿った部分がコンロ本体側へ突出する態様に変形し易い。前記下室の前記他方の側板の傾斜に伴って、前記下室の前記内板も同方向に傾斜させられることとなり、前記下室は、断面平行四辺形状に変形させられ、前記荷重を吸収するクッション材として機能する。
【００１０】
【発明の効果】
本発明は、上記構成であるから次の特有の効果を有する。
外的衝撃は全て支持体で吸収されるようにしたから、コンロ本体は確実に保護され、梱包状態において強い外的衝撃を受けても、コンロ本体が不用意に変形したり損傷したりする不都合を防止することができる。
【００１１】
２項のものでは、上記効果に加えて、支持体を段ボール紙で構成するようにしたから、コストダウンを図ることができる上に、撓み易いために大きな衝撃吸収力が期待できる。又、発泡樹脂製のものに比べて処分し易く、又、リサイクルも可能であるといった効果がある。
【００１２】
３項のものでは、支持体に上室と下室とを設けることにより、外的衝撃はクッション材として機能する下室によって吸収されるから、支持体における衝撃吸収力が向上し、外的衝撃からコンロ本体を一層確実に保護することができる。
【００１３】
【発明の実施の形態】
次に、上記した本発明の実施の形態を図面に従って詳述する。
図１は、本発明実施の形態のドロップインコンロを梱包する梱包構造の分解斜視図であり、図２は本発明実施の形態の梱包構造に用いられる支持体の説明図、図３は、図２に示した支持体を用いて、ドロップインコンロを吊り下げ状態に収納させた梱包状態を示す説明図であり、図４は梱包状態において下方から外的衝撃が加わった場合を示す説明図である。
【００１４】
この実施の形態におけるドロップインコンロは、図１に示すように、３つのガスバーナ（図示せず）を内蔵したコンロ本体（１）の上端から、システムキッチンのカウンタートップに形成されている開口の周縁に支持させるための外周フランジ部（１０）を外方へ向かって水平に張り出させた形式であり、前記外周フランジ部（１０）の上面には、ガラス製のトッププレート（１２）が載置されて使用される。尚、この実施の形態のドロップインコンロにおける外周フランジ部（１０）は、コンロ本体（１）の前後方向よりも左右方向に長く延長させた構成となっており、トッププレート（１２）は、外周フランジ部（１０）に略一致する大きさ形状に構成されていると共に、前記トッププレート（１２）には、前記ガスバーナの炎孔部（１１）を露出させるための３つの開口（１２ａ）が形成されている。
【００１５】
又、上記ドロップインコンロには、使用時にコンロ本体（１）やトッププレート（１２）に組み付けて使用される五徳（１３）や、排気ガード（１４）や、バーナリング（１５）やその他の附属部品等が具備されており、前記コンロ本体（１）の前面には、グリル部（１６）が備えられている。
【００１６】
この実施の形態に係るドロップインコンロを梱包する梱包構造は、コンロ本体（１）の左右両側方に配設されて前記外周フランジ部（１０）の左右片が係止される一対の支持体（２）（２）と、外箱（３５）内において、コンロ本体（１）の前方及び後方に配設され且つ前後方向の位置決めをする前パット（３ａ）及び後パット（３ｂ）と、前記外周フランジ部（１０）の前方に配設され且つ外箱（３５）内において外周フランジ部（１０）の前方向の位置決めをする前上パット（３ｃ）と、前記外周フランジ部（１０）の上面にその左右辺に沿って配設され且つトッププレート（１２）を収納させるための浅い段部（３０ａ）が内方に開放するように形成されている一対のプレート収納パット（３０）（３０）と、トッププレート（１２）及び前記プレート収納パット（３０）（３０）の上方全域を被覆するように載置される第１上パット（３１）と、さらにその上方に配設され且つコンロ本体（１）の後方側に配設される第２上パット（３２）と、前記第２上パット（３２）の前方に配設され且つ五徳（１３）が収納される第３上パット（３３）とからなる梱包材を用いる構成とする。
【００１７】
前記第１上パット（３１）の上面には、その左右辺に沿って、各種附属品が収納される上方開放の収納室が複数並列状態に形成されてなる一対の左右パット（３１ａ）（３１ｂ）が所定高さ突設され、これら左右パット（３１ａ）（３１ｂ）の間に、バーナリング（１５）が保持される態様となっている。又、前記第１上パット（３１）の前辺に沿って、排気ガード（１４）が収納される排気ガード収納パット（３４）が前記左右パット（３１ａ）（３１ｂ）間に架設されるように設けられる。
【００１８】
又、第２上パット（３２）の上面の前辺及び後辺に沿った位置には、一対の前後パット（３２ａ）（３２ｂ）が上方へ突設するように形成されている。後パット（３２ｂ）には、前記左右パット（３１ａ）（３１ｂ）と同様に、各種附属品を収納するための上方開放の複数の収納室が形成され、前後パット（３２ａ）（３２ｂ）の間には、五徳（１３）の一つが収納される。
【００１９】
さらに、第３上パット（３３）の下面の前辺及び後辺に沿った位置には、一対の前後パット（３３ａ）（３３ｂ）が下方へ突設するように形成され、これら前後パット（３３ａ）（３３ｂ）の間には、残り２つの五徳（１３）が収納される構成となっている。
尚、前記第２上パット（３２）の前後パット（３２ａ）（３２ｂ）の高さと、第３上パット（３３）の前後パット（３３ａ）（３３ｂ）の高さとは同一に設定されている。
【００２０】
これら各梱包材は段ボール紙を折り畳んで組み立てられており、ドロップインコンロをこれら梱包材と共に外箱（３５）内に収納させることにより、コンロ本体（１）は、外箱（３５）内において、前後左右さらには上下に位置決めされた状態に収納される態様となる。特に、支持体（２）をコンロ本体（１）の高さよりも高く構成することにより、収納状態において、コンロ本体（１）は、使用時と同様に、外箱（３５）内において、吊り下げられた状態で収納されることとなる。
以下、支持体（２）について説明する。
【００２１】
前記支持体（２）は、所定の形状に裁断された段ボール紙を、段ボール紙の溝に対して直角方向に順に折り曲げることにより、図２に示すように、上室（２１）と下室（２２）とを備え且つ前後方向に開放する略矩形筒状体に構成されており、支持体（２）を構成している各垂直面に沿って、前記段ボール紙の溝が走行する態様となっている。
【００２２】
このような支持体（２）を構成するには、まず、内板となる一方の側板（２２ａ）、上板（２２ｂ）、他方の側板（２２ｃ）、底板（２２ｄ）が構成されるように段ボール紙を端から折り曲げて、下室（２２）を構成する。底板（２２ｄ）を構成した後の段ボール紙は、前記側板（２２ａ）の外面に重なるように折り曲げられて、支持体（２）の一方の側面（２０）を構成する。
【００２３】
この側面（２０）は、前記下室（２２）の一方の側板（２２ａ）と重なった後、上方へ延長して上室（２１）の一方の側面を構成し、所定高さにて水平に折り曲げることにより、支持体（２）の頂面（２３）となる上室の上板（２１ａ）が形成され、続いて他方の側板（２１ｂ）、さらには、前記下室（２２）の上板（２２ｂ）の上面に接触状態に重なり合う下板（２１ｃ）が形成されて、上室（２１）が構成される。
【００２４】
尚、側面（２０）は、所定の形状に切り欠かれていることから、支持体（２）の前後端部と、前記上室の上板（２１ａ）を構成している中央部とで異なる高さの頂面が形成される態様となる。すなわち、前後端部においては、前記上室の上板（２１ａ）よりも低い位置で水平に折り曲げられて、前後頂面（２４ａ）（２４ｂ）が形成されると共に、さらに、上室の他方の側板（２１ｂ）に沿って下方へ折り曲げられて、垂下板（２５）（２５）が形成された構成となっている。
【００２５】
上述したとおりに組み立てられた支持体（２）のうち、重なり合う態様となっている下室（２２）の上板（２２ｂ）と上室（２１）の下板（２１ｃ）、及び上室（２１）の他方の側板（２１ｂ）と垂下板（２５）とには、それぞれ、所定の形状の折り曲げ片（２６ａ）（２６ｂ）（２７ａ）（２７ｂ）が折り重ねられるように設けられており、これら各折り曲げ片（２６ａ）（２６ｂ）（２７ａ）（２７ｂ）を重ね合わせて折り曲げておくことにより、各重なり部分のずれ止めとなる。
【００２６】
上記構成の支持体（２）においては、一方の側面（２０）は一枚の段ボール紙から構成される態様となり、他方の側板は、上室（２１）の側板（２１ｂ）と、下室（２２）の側板（２２ｃ）とに分割された態様となっており、上室（２１）と下室（２２）との間には、下室（２２）の他方の側板（２２ｃ）の上端辺と、上室の他方の側板（２１ｂ）の下端辺とに沿った境界線（２８）が形成される態様となっている。
【００２７】
又、前記側面（２０）の高さは、ドロップインコンロのコンロ本体（１）の底面から外周フランジ部（１０）の裏面までの高さよりも高く設定されており、支持体（２）の幅は、コンロ本体（１）の側面から外周フランジ部（１０）の左右端までの距離よりも狭く設定されている。
【００２８】
上記構成の支持体（２）を用いて、ドロップインコンロを外箱（３５）内に収納するには、まず、支持体（２）を外箱（３５）の短辺に沿うようにそれぞれ収納すると共に、前後パット（３ａ）（３ｂ）を外箱（３５）の長辺に沿わせてそれぞれ収納する。収納状態においては、前記支持体（２）の頂面（２３）が前後パット（３ａ）（３ｂ）よりも上方に突出している態様となる。
尚、支持体（２）は、前記境界線（２８）が形成されている他方の側面側がコンロ本体（１）側に向き、且つ、コンロ本体（１）の側面との間に所定の間隙を有して配設される。
【００２９】
そして、前記支持体（２）がコンロ本体（１）の側方に位置し、且つ、前パット（３ａ）がコンロ本体（１）の前方、後パット（３ｂ）が後方に位置するように、ドロップインコンロを外箱（３５）内に収納する。これにより、図３に示すように、外周フランジ部（１０）の両側片部が、支持体（２）の頂面（２３）にそれぞれ係止される態様となり、支持体（２）の高さは上述したとおりであるから、コンロ本体（１）は、使用時と同様、吊り下げられた態様で外箱（３５）内に収納されることとなる。
前記支持体（２）は、段ボール紙を溝に対して直角に折り曲げられていることにより、ドロップインコンロの重量に耐え得る強度を有する構造となっている。
【００３０】
コンロ収納後、前上パット（３ｃ）を外周フランジ部（１０）の前端と外箱（３５）との間に嵌め込み、その上から、一対のプレート収納パット（３０）（３０）を載置し、前記プレート収納パット（３０）の段部（３０ａ）内にガラス製のトッププレート（１２）の両端を嵌め込んで固定する。その後、トッププレート（１２）の上に、第１上パット（３１）を載置し、左右パット（３１ａ）（３１ｂ）に形成されている各収納室に、所定の附属部品を収納すると共に、左右パット（３１ａ）（３１ｂ）間の所定位置に設けられている一対の起立部（３６）にバーナリング（１５）を嵌め込んで固定させる。そして、左右パット（３１ａ）（３１ｂ）の前端近傍に、排気ガード収納パット（３４）を架設させ、その中に排気ガード（１４）を収納する。
【００３１】
その他各種部品の収納が完了した時点で、第１上パット（３１）の上方に、第２上パット（３２）、第３上パット（３３）を前後に配設させる。第３上パット（３３）に形成されている２つの開口にそれぞれ五徳（１３）を収納すると共に、第２上パット（３２）の後パット（３２ｂ）に設けた収納室に、残りの附属部品を収納し、前パット（３２ａ）と後パット（３２ｂ）との間の谷部に、もう一つの五徳（１３）を収納してドロップインコンロの梱包が完了する。
【００３２】
上記した梱包状態において、外箱（３５）ごと落下させる等、下方から強い外的衝撃が加えられた場合、前記衝撃は、前記支持体（２）の底板（２２ｄ）に伝わるが、支持体（２）の頂面（２３）には、ドロップインコンロの重量が外周フランジ部（１０）の両側片部を介して支持されているから、支持体（２）には、上下両方から荷重がかかることとなる。前記支持体（２）の頂面（２３）及び底板（２２ｄ）にかかった荷重は、前記一方の側面（２０）と、他方の側板（２１ｂ）（２２ｃ）に伝わり、図４に示すように、一方の側面（２０）が外方へ膨らむ方向へやや変形すると共に、前記他方の側板（２１ｂ）（２２ｃ）も、その境界線（２８）がコンロ本体（１）側へずれる方向へ傾斜させられる。これに伴って、上室の下板（２１ｃ）と下室の上板（２２ｂ）さらには、下室（２２）の内板を構成している側板（２２ａ）が同方向へ引っ張られ、下室（２２）は、略平行四辺形状に変形する態様となる。
【００３３】
このように、支持体（２）の下室（２２）が所定の形状に変形することにより、前記下室（２２）は、クッション材として機能し、大きな衝撃吸収力が得られる。
又、梱包状態におけるコンロに、上方から外的衝撃が加わった場合でも、荷重は、第２上パット（３２）及び第３上パット（３３）によってコンロの左右に分散させられることにより、ガラス製のトッププレート（１２）の中央部分に荷重がかかる不都合がない上に、前記左右に分散された荷重は、外周フランジ部（１０）の左右両側片部を介して、支持体（２）に伝えられ、支持体（２）で吸収されることとなるから、本発明の実施の形態にかかる梱包構造により梱包されてなる被梱包物に対して、上下どちらの方向から外的衝撃が加えられた場合であっても、トッププレート（１２）やコンロ本体（１）が損傷される不都合を確実に防止することができる。
【図面の簡単な説明】
【図１】本発明実施の形態のドロップインコンロを梱包する梱包構造の分解斜視図。
【図２】本発明実施の形態のドロップインコンロの梱包構造に用いられる支持体の斜視図。
【図３】図２に示した支持体を用いて、ドロップインコンロを吊り下げ状態に収納させた梱包状態を示す説明図。
【図４】図３の梱包状態において上方から外的衝撃が加わった場合を示す説明図。
【図５】従来の梱包構造の説明図。
【符号の説明】
（１）  ・・・・コンロ本体
（１０）・・・・外周フランジ部
（２）  ・・・・支持体
【図１】
2004210335.tif 000003
【図２】
2004210335.tif 000004
【図３】
2004210335.tif 000005
【図４】
2004210335.tif 000006
【図５】
2004210335.tif 000007